(57)【要約】【課題】  間仕切り装置の据付け工事等の建築内装工事を行うに際して、発生する騒音を抑えて平日の昼間の工事が可能な防音間仕切りボックスの提供。【解決手段】  防音間仕切りボックスは複数枚の間仕切り吸音パネル１，１・・をポール４，４・・を介して連結することで側壁部を構成し、又天井部も間仕切り吸音パネル１，１・・を連結した構造とし、そして側壁部には入口の周囲に気密材１５を設けてドア２を取付け、上記間仕切り吸音パネル１は充填材の両面に表面材５ａ，５ｂを貼着した構造とし、内表面材５ａのほぼ全域に複数の小さい穴を貫通し、そして上記充填材は複数の空間に仕切った一定厚さのハニカムコア６ａ，６ｂ，６ｃを積層した構造とし、ハニカムコアの間には複数の小さい穴１８，１８・・を設けた薄いシート７ａ，７ｂを介在し、一方、外表面材５ｂには穴を設けないで全域遮音領域としたことを特徴とする防音間仕切りボックス。【選択図】    図２
2010077744.tif 000002
【特許請求の範囲】
【請求項１】
間仕切り装置の据付等の建築内装工事を行うに際して、壁や天井、床を構成する各部材を加工する為に屋内に設置する防音間仕切りボックスにおいて、該防音間仕切りボックスは複数枚の間仕切り吸音パネルをポールを介して連結することで側壁部を構成し、又天井部も間仕切り吸音パネルを連結した構造とし、そして側壁部には入口の周囲に気密材を設けてドアを取付け、上記間仕切り吸音パネルは充填材の両面に表面材を貼着した構造とし、内表面材のほぼ全域に複数の小さい穴を貫通し、そして上記充填材は複数の空間に仕切った一定厚さのハニカムコアを複数枚積層した構造とし、ハニカムコアの間には複数の小さい穴を設けた薄いシートを介在し、一方、外表面材には穴を設けないで全域遮音領域としたことを特徴とする防音間仕切りボックス。
【請求項２】
上記側壁部及び天井部の一部に間仕切り吸音パネルを使用した請求項１記載の防音間仕切りボックス。
【請求項３】
側壁部の下端部には巾木を取着し、そして該巾木の上端にはパネル面に密着して隙間を塞ぐシールを沿設し、同じく巾木の下端には床面に密着して隙間を塞ぐシールを沿設した請求項１、又は請求項２記載の防音間仕切りボックス。
【請求項４】
上記間仕切り吸音パネル間の目地にはマグネットテープを貼着した請求項１、請求項２、又は請求項３記載の防音間仕切りボックス。
【発明の詳細な説明】
【技術分野】
【０００１】
本発明は間仕切り装置の据付け工事やその他の建築内装工事を行うに際して発生する騒音を抑制する為に屋内に設置される防音間仕切りボックスに関するものである。
【背景技術】
【０００２】
近年の建物は１フロアーがオープン状態で構築され、この大きな建物のフロアー内部の空間を所定の大きさに仕切る為に色々な間仕切り装置が据え付けられる。すなわち、間仕切り装置は建物本体から切り離して後で据え付けることが出来、部屋の大きさを自由に設定・変更することが可能であることから、近年では各部屋(オフィス空間)を間仕切り装置にて仕切る場合が多い。
【０００３】
又、間仕切り装置にて仕切られた比較的大きなオフィス空間内で、個別の小さな空間を形成する為に背丈の低いパネルで構成されるローパーティションなるものも多用されている。さらに、上記間仕切り装置とは別に石こうボードと軽量鉄骨で構成される壁にて空間を仕切る場合もある。
【０００４】
ところで、上記間仕切り装置を据え付ける場合、一般に間仕切りパネル、スタッド（ポール）、床レール、天井レールなどの各部材が用いられ、床レールは床面に固定され、天井レールは天井面に固定され、間仕切りパネルは床レールと天井レールの間に据付けられる。
【０００５】
図９は一般的な間仕切り装置を表しているが、床レール（イ）の所々にはアジャスター（ロ）、（ロ）・・を配置すると共に、該アジャスター（ロ）、（ロ）・・に載って所定の高さに支持される巾木（ハ）に間仕切りパネル（ニ）が載置されている。そして、間仕切りパネル（ニ）の上端は天井レール（ホ）に嵌って位置決めされ、各間仕切りパネル（ニ）、（ニ）・・の間にはスタッド（ヘ）が介在して互いに連結している。
【０００６】
このように構成される間仕切り装置によってオフィス空間が仕切られるが、オフィスの大きさ(広さ)を後で変更する場合もあり、このような場合には既存の間仕切り装置を撤去して新たな間仕切り装置を据え付けることで別のオフィス空間を作ることが可能である。すなわち、間仕切り装置は建物本体を改造することなく、オフィス空間を自由に変更出来るように成っている。
【０００７】
ところで、既存の間仕切り装置を撤去して新たな間仕切り装置を据え付ける場合、オフィス空間の仕様に応じて間仕切りパネル、床レール、天井レール、スタッドなどを所定の寸法に切断加工し、又これら各部材を所定の場所にビス止めしなければならない。個々の部材は工場で製造されるが、間仕切り装置の据付け作業は現場作業となり、この際に発生する騒音は非常に大きなものとなる。
【０００８】
従来では、間仕切り装置の据付け工事に際しての騒音は付きものであり、致し方ないといった考えが現実である。そこで、従来では建物の同一階及び上下階の迷惑にならないように、オフィス空間での間仕切り装置の据付けは休日工事が主であり、又は夜間工事を行っている。従って、施工業者に対しても過酷な労働を強いることになり、このような時間帯を利用して工事することから、工期も長くなる。勿論、内装工事は間仕切りだけでなく、建物の天井、壁、床などの一般的な工事も同じように大きな騒音を伴う。
【０００９】
特開２００７−３３４１６８号に係る「防音ボックス」は、組立及び解体が容易となされ、且つ強度が高められた防音ボックスである。この防音ボックスは側壁部の上下方向が一体のパネル体を用いて形成されていることで、パネル体を積み重ねる等の作業が必要とならず左右に連結手段を用いて連結するのみで側壁部を形成し、最後に覆蓋部を設けることで容易に防音ボックスの組立が可能となり、逆の手順により解体も容易となされるが、パネル体の上下方向全体に亘って補強部が設けられていることで強度が高められ、風圧や軽微な衝突に対して対抗でき得る強度を有している。
【００１０】
ところで、この防音ボックスは風圧に耐え得る強度を備えているもので、屋外に設置して使用されるのが常である。従って、該防音ボックス内部で削岩機や地固め機などを使用する場合、発生する騒音は側壁部及び覆蓋部によって外部への伝播がある程度抑制される。本発明が対象とする防音ボックスとは、屋外に設置して使用するものではなく、あくまでも屋内に設置される。
【００１１】
屋外に設置して使用される上記特開２００７−３３４１６８号に係る「防音ボックス」は、それなりの効果を得ることが出来るであろうが、この防音ボックスは出願人が従来から製造・販売しているブースの構造と基本的には同じ構造であり、屋内で使用する場合には目的とする所期の効果を得ることは出来ない。あくまでも屋外の建設現場に設置するものであり、間仕切り装置の据付け作業時の騒音に比較して、削岩機や地固め機などの建設機械から発する騒音は非常に大きいことから、一般的な複数枚のパネル体で構成される側壁部及び覆蓋部に僅かな隙間があってもそれなりの防音効果が得られる。
【特許文献１】特開２００７−３３４１６８号に係る「防音ボックス」
【発明の開示】
【発明が解決しようとする課題】
【００１２】
このように、屋外に設置される防音ボックスなるものは存在しているが、屋内に設置して同一階及び上下階の迷惑にならないようにする防音ボックスとしては要を足さない。すなわち、普通の間仕切りパネルを据付けて構成する単なるブースでは、気密性に欠けて僅かな隙間から音が漏れ、又間仕切りパネル自体に吸音機能が備わっている訳ではなく、あるレベルの騒音は漏れてしまう。本発明が求める騒音のレベルは従来の屋外設置の防音ボックスとは格段に異なる。本発明が解決しようとする課題はこの問題点であり、建物の内部に設置して同一フロアーにて仕事しても気にならない程度の防音効果のある防音間仕切りボックスを提供する。
【課題を解決するための手段】
【００１３】
間仕切り装置を据付ける場合や建物の壁、天井、床などを施工する場合には最大１００ｄＢ程度の騒音が発生する。この１００ｄＢとは電車が通過する際のガード下の騒音に匹敵する大きさであり、建物の同一階及び上下階の迷惑にならないように、従来では休日工事や夜間工事を行っている。そこで、本発明では、建物の壁や天井の下地となる軽量鉄骨、又は間仕切り装置を構成する床レールや天井レールなどの各部材の現場加工を防音間仕切りボックス内で行い、この際に発生する騒音が防音間仕切りボックスから漏れにくい構造としている。
【００１４】
本発明に係る防音間仕切りボックスは、複数枚のパネルを据付けることで側壁部及び天井部を構成し、側壁部の一部には開閉する出入り口用ドアを取付け、又ガラス窓を備えている。ただし、ドアの隙間から音が漏れないように気密材を取付け、外からの明かりを取り入れる為に窓を設け、しかも該窓は遮音性のある構造としている。又、必要に応じて換気扇を装着するが、換気口には防音フードを設けて音が漏れない構造と成っている。
【００１５】
そして、ボックスの側壁部及び天井部を構成するパネルは騒音を吸収する吸音パネルが使用される。吸音パネルの基本構造は充填材の両面に表面材を貼着したものであって、内側の表面材には複数の小さな穴を貫通し、内部の充填材としては小さい空間で仕切られるハニカムコアが用いられ、しかも複数枚が積層した状態で構成している。しかも、各ハニカムコアの間には複数の穴を形成している薄いシートを介在している。すなわち、充填材はハニカムコアとシートが交互に積層した構造と成っている。
【発明の効果】
【００１６】
本発明に係る防音間仕切りボックスは建物の屋内現場に組立て設置され、この防音間仕切りボックス内で各部材の加工を行うことが出来る。最も大きな騒音を発する切断加工では約１００ｄＢに達するが、防音間仕切りボックスの外では約６０ｄＢまで低下する。６０ｄＢの騒音とは通常のオフィスと同じ程度であり、何ら騒音が気になることはない。又、防音間仕切りボックスは騒音を遮断するだけでなく、切断加工などに伴って発生するホコリやチリが建物内へ飛散することを防止することが出来る。
【００１７】
上記間仕切り吸音パネルは、表面材に複数の小さな穴を設けている為に、ボックス内部で作業に伴う騒音が発生した場合、該騒音はパネルの穴を通過して内部へ進入し、内部の充填材にて吸収される。すなわち、パネル内部の充填材はハニカムコアにて構成され、該ハニカムコアの仕切られた空間内へ騒音が進入して減衰する。又、充填材としてのハニカムコアは複数層で構成されると共に、間には細かい穴を貫通した薄いシートが介在している。
【００１８】
従って、表面材の小さな穴から進入した騒音の一部はハニカムコアの仕切り空間にて吸収されるが、他の一部はシートの穴を通過して積層されている隣のハニカムコアの仕切り空間へ進入する。そして、この仕切り空間内で吸収される。さらに、吸収されなかった騒音の一部はシートの穴を通過して、後方に積層しているハニカムコアの仕切り空間へ進入する。しかし、対向する反対側の表面材（ボックス外側の表面材）には穴が貫通していない為に、外へ漏れる音は小さくなる。
【００１９】
このように、間仕切り装置の据付け工事やその他の建築内装工事で大きな騒音が発生しない為に、従来のような休日工事や夜間工事を行う必要はなく、平日の昼間に工事を行うことが可能となる。その結果、作業労働者にとっては楽な仕事環境となり、工事期間も短縮される。そして、本発明の防音間仕切りボックスは、パネルを組立てて構成したものであり、工事が完了した折には簡単に解体することが出来、又別の現場へ搬送して組立てることで再利用が可能である。さらに、ポールを介して間仕切りパネルを連結する構造である為に、現場によってその大きさ（広さ）は自由に調整可能となる。
【実施例】
【００２０】
間仕切り装置の据付け工事やその他の建築内装工事を行うに際して、大きな騒音が出ても何ら問題とならない場合もあり、必ずしも本発明に係る防音間仕切りボックス内で切断加工などの作業を行う必要のないこともある。しかし、同一階又は上下階に既にオフィスが存在している場合には、大きな騒音を抑制する為に本発明の防音間仕切りボックスが必要となる。
【００２１】
図１は間仕切り装置などの建築内装用の各部材を加工する為の防音間仕切りボックスの外観を示す本発明の具体例である。ここで、建築内装とは間仕切り装置も含めた概念であり、主として建物の壁、天井、床を対象とするが、その形態及び構造を限定するものではない。又、間仕切り装置の場合にはローパーティション、トイレブース、移動間仕切りも広義の間仕切り装置として対象とする。
【００２２】
ところで、本発明の防音間仕切りボックスは複数枚の間仕切り吸音パネル１，１・・が組み立てられた構造と成っており、そして、少なくとも側壁部の一箇所には出入口用のドア２が取付けられている。天井も間仕切り吸音パネル１，１・・が配置された構造である。又、側壁部には窓３が設けられ、外からの明かりを取り入れることが出来る。そして、必要に応じて、ドア２にも窓３を設けることが出来る。
【００２３】
本発明では、この防音間仕切りボックス内で建物の壁や天井などの下地となる軽量鉄骨、間仕切り装置の床レール及び天井レール、又その他の部材を所定の長さに切断する。この防音間仕切りボックスは外へ騒音が漏れにくいように、間仕切り吸音パネル１，１・・は、内部で発生した騒音を吸収することが出来る機能を備えている。部材を切断する際に発生する騒音は約１００ｄＢであるが、該間仕切り吸音パネル１，１・・に吸収されて、外へ漏れる音は小さくなる。勿論、騒音の漏れ防止だけでなく、チリやホコリが防音間仕切りボックスの外へ飛散することもない。
【００２４】
図２は上記防音間仕切りボックスの横断面の一部を、図３は縦断面の一部を夫々表している。各間仕切り吸音パネル１，１・・の間にはポール４，４・・が介在して互いに連結して側壁部を構成している。ここで、上記間仕切り吸音パネル１，１・・の連結構造は同図に示す場合に限らず、他の方向にて連結することもある。そして、間仕切り吸音パネル１は内表面材５ａと外表面材５ｂの間に充填材としてハニカムコア６ａ，６ｂ，６ｃを積層し、各ハニカムコア６ａ，６ｂ，６ｃの間には薄いシート７ａ，７ｂが介在して挟み込んだ構造と成っている。そして、内表面材５ａには多数の小さい穴が貫通して設けられている。又、シート７ａ，７ｂにも多数の小さな穴が設けられている。
【００２５】
又、図３の縦断面図に示すように、間仕切り吸音パネル１はアジャスター８にて適当な高さに支持され、間仕切り吸音パネル１の下端部には巾木９，９がマグネット１０，１０・・を介して取付けられ、巾木９の上端にはシール１１ａが沿設してパネル面１２に隙間がないように密着している。同じく下端にはシール１１ｂが沿設して床面１３に密着し、隙間１４を塞いでいる。図４はドア２が取付けられている箇所の縦断面であり、該ドア２を閉めたときに隙間が生じないように気密材１５を入口の周囲に取付けている。
【００２６】
ところで、本発明に係る防音間仕切りボックスの側壁部及び天井部を構成している間仕切り吸音パネル１は内部で行われる作業に際して発生する騒音を吸音する機能を備えている。図５は間仕切り吸音パネル１の断面を示している具体例である。同図の５ａは内表面材、５ｂは外表面材であって、内外表面材５ａ，５ｂの間には３枚のハニカムコア６ａ，６ｂ，６ｃが積層されている。そして、各ハニカムコア６ａ，６ｂの間には薄いシート７ａが介在し、同じくハニカムコア６ｂ，６ｃの間にも薄いシート７ｂが介在している。ここで、上記薄いシート７ａ，７ｂとしては、例えばアルミ箔や樹脂フイルムが使用される。
【００２７】
上記ハニカムコア６ａ，６ｂ，６ｃとは一定厚さの紙製又は金属製や樹脂製の構造体であり、複数の小さな仕切られた空間１６ａ，１６ａ・・・、１６ｂ，１６ｂ・・・、１６ｃ、１６ｃ・・・を形成している。そして、この空間１６ａは隣の空間１６ａと側壁１７ａにて仕切られているだけで、両面側は開口した貫通穴と成っている。従って、ハニカムコア６ａ，６ｂ間にシート７ａを介在することで、この貫通穴は閉じられるが、該シート７ａには小さい穴１８，１８・・が設けられている。本発明では充填材としての上記ハニカムコア６は広義に解釈し、側壁１７にて仕切られる空間１６を形成しているものであれば、充填材として使用することが出来る。空間１６の形状は特に限定しない。
【００２８】
ところで、間仕切り吸音パネル１，１・・によって仕切られる防音ボックス内で騒音が発生した場合、その音波は周囲に拡散し、その一部は間仕切り吸音パネル１，１・・に当る。そして、該間仕切り吸音パネル１に当った音波は同図に示すように、内表面材５ａに形成している小さな穴１９を通過してハニカムコア６ａの空間１６ａに進入する。この空間１６ａは内表面材５ａの小さい穴１９とシート７ａに設けている小さい穴１８があるのみで、該空間１６ａに進入した音波はハニカムコア６ａの側壁１７ａを振動させてエネルギーを消耗し、直ちに減衰する。
【００２９】
しかし、シート７ａに設けた小さい穴１８からは減衰しない一部の音波が通過し、積層されている隣のハニカムコア６ｂの空間１６ｂへ進入する。そして、上記空間１６ａの場合と同じように、空間１６ｂの側壁１７ｂを振動させて減衰する。さらに、減衰しない音波はハニカムコア６ｃの空間１６ｃへ進入する。ハニカムコア６ｃは外表面材５ｂにて閉じられている為に、防音ボックスの外へ漏れる音は小さくなる。
【００３０】
このように、本発明の防音ボックスは間仕切り吸音パネル１，１・・にて構成され、この間仕切り吸音パネル１当った音波は穴１９，１９・・・から内部のハニカムコア６ａ，６ｂ，６ｃの仕切り空間１６ａ，１６ｂ，１６ｃに進入して減衰することが出来る。そして、外側に貼着している外表面材５ｂは穴１９，１９・・を設けていない遮音領域と成っているために、防音ボックス外へ漏れる音は小さくなる。
【００３１】
このように、本発明では簡単に組み立てることが出来る防音間仕切りボックスを現場に据付け、この防音間仕切りボックス内で間仕切り装置の各部材や建築内装用部材を加工する。例えば、間仕切りパネル、床レール、天井レール、スタッド、さらには建物の壁や天井を構成する石こうボード、そして石こうボードを取付ける為の下地材となる軽量鉄骨を所定の寸法に切断しなければならない。又、必要な箇所に穴及びネジ穴、更には溝などの加工を行うことが必要である。
【００３２】
ここで、最も大きな騒音を発生する加工が切断加工であり、約１００ｄＢの大きさとなる。これは電車が通過する際のガード下の騒音に匹敵し、この騒音が周囲に拡散するならば、建物の同一階及び上下階に迷惑をかけることになる。
【００３３】
しかし、本発明の防音間仕切りボックスを建物内部に据付けてその中で加工するならば、該防音間仕切りボックスを通過して外へ漏れる騒音は小さくなり、約６０ｄＢ程度に低下する。図６、図７はその場合の騒音の大きさを表している。
図６は同じ部屋で巾木を高速カッターで切断した場合の騒音である。
Ａ：防音間仕切りボックスなしの状態で、切断機から３ｍの位置での騒音は９８ｄＢとなる。
Ｂ：防音間仕切りボックスを使用した場合で、切断機から３ｍの位置での騒音は６４ｄＢに低下する。
Ｃ：防音間仕切りボックスを使用した場合で、切断機から１０ｍの位置での騒音は６０ｄＢとなる。
【００３４】
図７は巾木を高速カッターで切断した場合で、切断機から５ｍ離れた隣の部屋での騒音である。
Ａ：防音間仕切りボックスなしの状態では、８２ｄＢとなる。
Ｂ：防音間仕切りボックスを使用した場合には５８ｄＢまで低下する。
防音間仕切りボックスを使用するならば、一般には図７のＢに示す状態であり、隣のオフィスでの騒音が５８ｄＢ程度ならば、該騒音が気になることはない。
【００３５】
参考までに、色々な場所での騒音は次の通りである。
（１）４０ｄＢ      閑静な住宅街、図書館
（２）５０ｄＢ      静かな公園、静かな事務所
（３）６０ｄＢ      静かな乗用車の車内、普通の会話
（４）７０ｄＢ      掃除機の音、電車の車内
（５）８０ｄＢ      交通量の多い道路、地下鉄の車内
（６）９０ｄＢ      工場、大声、犬の鳴き声（正面５ｍ）
（７）１００ｄＢ    電車が通過する際のガード下
（８）１１０ｄＢ    自動車のクラクション（前方２ｍ）
図８は本発明の防音ボックスが設置される床面構造を示す具体例である。該防音間仕切りボックスは側壁部及び天井部は吸音パネル１，１・・が使用されることで、内部で発生する騒音が吸収され、外へ漏れる音は小さくなる。しかし、この騒音が床面を伝って外に漏れる場合がある。そこで、床面１３に養生シート２０を敷き、その上に防音パネル２１（例えば、木質の多孔パネル）を敷いた状態で防音間仕切りボックスを据付けることがある。そして、防音パネル２１の上には上記養生シート２０を敷いている。ここで、該養生シート２０及び防音パネル２１は市販品を使用する。
【００３６】
ところで、該防音間仕切りボックスは側壁部及び天井部に吸音パネル１，１・・・が使用され、全てのパネルを吸音パネル１とする場合が一般的であるが、必要に応じて一部のパネルを一般の間仕切りパネルを使用することもある。そして、上記側壁部に設ける窓３を構成する窓ガラスは、防音効果のある厚い（１０ｍｍ程度）アクリルガラスが使用される。さらに、各吸音パネル１，１・・間に形成される目地を塞ぐ為に、マグネットテープを目地に沿って貼着することもある。
【図面の簡単な説明】
【００３７】
【図１】防音間仕切りボックスの外観。
【図２】防音間仕切りボックスの一部横断面図。
【図３】防音間仕切りボックスの一部縦断面図。
【図４】ドアが取付けられている箇所の縦断面図。
【図５】間仕切り吸音パネルの断面図。
【図６】同室内での騒音状態。
【図７】隣室での騒音状態。
【図８】床面構造の具体例。
【図９】一般的な間仕切り装置。
【符号の説明】
【００３８】
１  間仕切り吸音パネル
２  ドア
３  窓
４  ポール
５  表面材
６  ハニカムコア
７  シート
８  アジャスター
９  巾木
10  マグネット
11  シール
12  パネル面
13  床面
14  隙間
15  気密材
16  空間
17  側壁
18  穴
19  穴
20  養生シート
21  防音パネル
【図１】
2010077744.tif 000003
【図２】
2010077744.tif 000004
【図３】
2010077744.tif 000005
【図４】
2010077744.tif 000006
【図５】
2010077744.tif 000007
【図６】
2010077744.tif 000008
【図７】
2010077744.tif 000009
【図８】
2010077744.tif 000010
【図９】
2010077744.tif 000011